(57)【要約】      （修正有）【課題】吸引口の吸引力が高められた吸引ノズルを備える汚物回収機を提供する。【解決手段】汚物回収機は、汚物を回収するための回収容器（ダストボックス）と、汚物を吸引するための吸引口３３を有する吸引ノズル３と、吸引ノズル３の吸引口３３からダストボックスに汚物を吸引する吸引器（バキュームブロワ）と、を主に備える。吸引ノズル３は、汚物が通る流路３２の一部を構成する中空部３１を有し、吸引口３３の少なくとも一部を区画する手前側エッジ３３ａ及び奥側エッジ３３ｂを有する。手前側エッジ３３ａ又は奥側エッジ３３ｂの少なくとも一方には、他方に近接するように、中空部３１に突出する突出部３６が形成されている。【選択図】図４
0003221577.tif 000002
【実用新案登録請求の範囲】
【請求項１】
汚物を回収するための回収容器と、
前記汚物が通る流路の一部を構成する中空部を有し、前記汚物を吸引するための吸引口を有する吸引ノズルと、
該吸引ノズルの前記吸引口から前記回収容器に前記汚物を吸引する吸引器と、を備え、
前記吸引ノズルは、前記吸引口の少なくとも一部を区画する手前側エッジ及び奥側エッジを有し、
前記手前側エッジ又は前記奥側エッジの少なくとも一方には、他方に近接するように前記中空部に突出する突出部が形成されていることを特徴とする汚物回収機。
【請求項２】
前記吸引ノズルは、前記手前側エッジ及び前記奥側エッジを含んで前記汚物のある対象面に当接可能な当接面と、
該当接面に連続して形成され、前記当接面が前記対象面に当接したときに前記対象面から離間する方向であって、前記当接面の前記手前側エッジ又は前記奥側エッジから前記吸引口の外方に傾斜して形成された傾斜部と、を備え、
前記吸引ノズルにおける前記中空部を区画する内壁面には、前記当接面に交差する方向に延在して前記当接面に至る溝が形成されており、
該溝は、前記傾斜部の少なくとも一部に至る深さまで形成されている請求項１に記載の汚物回収機。
【請求項３】
前記溝は、前記内壁面のうち、前記手前側エッジ又は前記奥側エッジの少なくとも一方側に設けられており、前記突出部を挟んだ両側に設けられている請求項２に記載の汚物回収機。
【請求項４】
前記傾斜部は、前記当接面における前記手前側エッジ側から前記吸引口の手前側の外方に傾斜して形成されている請求項２又は３に記載の汚物回収機。
【請求項５】
前記突出部は、先細りとなるように形成されている請求項１から４のいずれか一項に記載の汚物回収機。
【請求項６】
洗浄液の散布口を有する散布ノズルと、
前記散布ノズルに前記洗浄液を供給する洗浄液供給部と、
前記散布ノズルと前記洗浄液供給部とに接続された可撓性を有するチューブと、
前記吸引ノズルと前記回収容器とに接続された可撓性を有するホースと、を更に備え、
前記チューブは、前記ホース内に通されて配設されており、
前記散布ノズルは、前記吸引ノズルに併設されている請求項１から５のいずれか一項に記載の汚物回収機。
【請求項７】
前記吸引ノズルを収容しつつ洗浄液を貯留することが可能な収容容器を更に備える請求項１から６のいずれか一項に記載の汚物回収機。
【請求項８】
前記回収容器と前記吸引器とを少なくとも載置可能な載置台と、
該載置台に取り付けられた車輪と、を更に備え、
前記回収容器は、前記載置台に対して着脱可能に取り付けられている請求項１から７のいずれか一項に記載の汚物回収機。
【請求項９】
前記回収容器は、本体部と、該本体部に着脱可能に取り付けられた袋体と、を含んで構成されている請求項１から８のいずれか一項に記載の汚物回収機。
【請求項１０】
前記吸引器は、前記回収容器内において前記回収容器の周方向に前記汚物を吸入し、前記回収容器から上方に吸引した気体をＨＥＰＡフィルタを介して前記汚物回収機の外部に排出する請求項１から９のいずれか一項に記載の汚物回収機。
【考案の詳細な説明】
【技術分野】
【０００１】
本考案は、汚物を吸引することによって回収する汚物回収機に関する。
【背景技術】
【０００２】
体調不良や泥酔などを原因として胃の内容物を経口的に吐き出す嘔吐が行われた場合、ウィルス感染防止や不潔、臭いの除去などのため嘔吐物を早期に清掃することが求められる。
従来の嘔吐物処理法としては、手作業により、床面にある嘔吐物に処理剤を撒いて水分を吸収させたうえで廃棄する方法があった。
【０００３】
また、特許文献１には、洗浄液を流出可能な流出開口と、汚物を吸い取る吸引口（同文献には、吸引開口と記載。）と、を備える吸引ヘッドを備える湿式クリーナーが開示されている。
【先行技術文献】
【特許文献】
【０００４】
【特許文献１】実用新案登録第３２１０７５７号公報
【考案の概要】
【考案が解決しようとする課題】
【０００５】
手作業による嘔吐物処理方法は、具体的には、床面にある嘔吐物に処理剤を撒いて水分を吸収させたうえで、処理剤とともに嘔吐物を箒と塵取りで取り去り、塵取りからビニール袋に移送して廃棄する。さらに、ウィルス感染防止のため、箒及び塵取りを洗浄して除菌し、床面にも除菌剤を散布する必要があり、かなり煩雑であった。
また、特許文献１に開示された湿式クリーナーにおいては、汚物を吸引する吸引力に関して、改善の余地があった。
【０００６】
本考案は上述のような課題に鑑みてなされたものであり、吸引口の吸引力が高められた吸引ノズルを備える汚物回収機を提供するものである。
【課題を解決するための手段】
【０００７】
本考案に係る汚物回収機は、汚物を回収するための回収容器と、前記汚物が通る流路の一部を構成する中空部を有し、前記汚物を吸引するための吸引口を有する吸引ノズルと、該吸引ノズルの前記吸引口から前記回収容器に前記汚物を吸引する吸引器と、を備え、前記吸引ノズルは、前記吸引口の少なくとも一部を区画する手前側エッジ及び奥側エッジを有し、前記手前側エッジ又は前記奥側エッジの少なくとも一方には、他方に近接するように前記中空部に突出する突出部が形成されていることを特徴とする。
【考案の効果】
【０００８】
本考案によれば、中空部に突出する突出部により、中空部の面積である流路面積が小さくなり、突出部が設けられていない場合と比較して吸引口における吸引力を高めることができる。
【図面の簡単な説明】
【０００９】
【図１】本実施形態に係る汚物回収機を示す正面側斜視図である。
【図２】汚物回収機を示す背面側斜視図である。
【図３】吸引ノズル及び散布ノズルを示す側面図である。
【図４】図３のIV方向矢視における吸引ノズルの端面図である。
【図５】吸引ノズルにより汚物付き処理剤を吸引している状態を示す図であり、（ａ）は、対象面に当接面を当接させた状態を示す模式図である。（ｂ）は、対象面に対して当接面を傾けた状態を示す模式図である。
【図６】ダストボックス周りの縦断面図であり、ダストボックスの内部構造及び吸引した汚物付き処理剤と気体の流れを示す図である。
【図７】嵌合孔が形成された載置台を示す平面図である。
【図８】ボルト付きのダストボックスの一部を示す（ａ）は模式的な側面図、（ｂ）は模式的な底面図である。
【考案を実施するための形態】
【００１０】
以下、本考案の実施形態を図面に基づいて説明する。なお、以下に説明する実施形態は、本考案の理解を容易にするための一例に過ぎず、本考案を限定するものではない。すなわち、以下に説明する部材の形状、寸法、配置等については、本考案の趣旨を逸脱することなく、変更、改良され得るとともに、本考案にはその等価物が含まれることは勿論である。また、すべての図面において、同様の構成要素には同一の符号を付し、適宜に説明を省略する。
【００１１】
＜＜概要＞＞
まず、図１から図４を主に参照して本考案の実施形態に係る汚物回収機１の全体構成及び概要について説明する。
図１は、本実施形態に係る汚物回収機１を示す正面側斜視図、図２は、汚物回収機１を示す背面側斜視図、図３は、吸引ノズル３及び散布ノズル６を示す側面図、図４は、図３のIV方向矢視における吸引ノズル３の端面図である。
なお、図１及び図２において、ホース１１の外面は、滑らかな曲面であるように示しているが、実際には図３にその一部を示すように、外周面が蛇腹状に形成されており、ホース１１が可撓性を具備するように構成されている。なお、ホース１１の内面形状については後述する。
【００１２】
汚物回収機１は、汚物（汚物付き処理剤９０）を回収するための回収容器（ダストボックス４）と、汚物を吸引するための吸引口３３を有する吸引ノズル３と、吸引ノズル３の吸引口３３から回収容器（ダストボックス４）に汚物を吸引する吸引器（バキュームブロワ２）と、を主に備える。
図４に示すように、吸引ノズル３は、汚物が通る流路３２の一部を構成する中空部３１を有し、吸引口３３の少なくとも一部を区画する手前側エッジ３３ａ及び奥側エッジ３３ｂを有する。
手前側エッジ３３ａ又は奥側エッジ３３ｂの少なくとも一方には、他方に近接するように、中空部３１に突出する突出部３６が形成されていることを特徴とする。
【００１３】
なお、図４においては、手前側エッジ３３ａに、奥側エッジ３３ｂに近接するように突出する突出部３６を示しているが、奥側エッジ３３ｂに、手前側エッジ３３ａに近接するように突出する突出部３６が設けられていてもよい。
また、「汚物」とは、人又は動物の吐瀉物の他、糞尿等も含む。
【００１４】
上記構成によれば、中空部３１に突出する突出部３６により、中空部３１の面積である流路面積が小さくなり、突出部３６が設けられていない場合と比較して吸引口３３における吸引力を高めることができる。
【００１５】
＜＜全体構成＞＞
次に、本実施形態に係る汚物回収機１の全体構成を説明する。
汚物回収機１は、汚物の吸引に係る構成として、上記のように、吸引ノズル３と、汚物を回収する回収容器（ダストボックス４）と、バキュームブロワ２と、吸引ノズル３とダストボックス４とに接続された可撓性を有するホース１１と、を備える。
また、汚物回収機１は、汚物に触れた床面（図５に示す対象面９１）等の洗浄に係る構成として、洗浄液１２（図２参照）の散布口６ａを有する散布ノズル６と、散布ノズル６に洗浄液１２を供給する洗浄液供給部７と、散布ノズル６と洗浄液供給部７とに接続された可撓性を有するチューブ８と、を更に備える。また、汚物回収機１は、吸引ノズル３を収容して、洗浄液１２に浸けることで除菌可能とするための収容容器９を備える。
その他、汚物回収機１は、回収容器（ダストボックス４）と吸引器（バキュームブロワ２）とを少なくとも載置可能な載置台５と、載置台５に取り付けられた車輪（キャスター５ａ）と、蓄電池であるバッテリー１３と、を備える。
【００１６】
＜＜各部品の構成＞＞
＜汚物の吸引に係る構成＞
次に、図３及び図４に加え、図５を主に参照して、汚物の吸引に係る構成について説明する。図５は、吸引ノズル３により汚物付き処理剤９０を吸引している状態を示す図である。図５（ａ）は、対象面９１に当接面３４を当接させた状態を示す模式図であり、図５（ｂ）は、対象面９１に対して当接面３４を傾けた状態を示す模式図である。図５（ｂ）に示された矢印は、図５（ａ）に示す状態から、吸引ノズル３を持ち上げた方向を示すものである。
【００１７】
汚物の吸引の前段階で、汚物の水分を吸収する処理剤９０ａを汚物に撒くようにすると、当該水分の気化による臭い・ウィルス拡散の抑制の観点、汚物の吸引効率の観点、及び汚物回収機１内部の汚損防止の観点から好適である。
汚物の水分を吸収可能な処理剤９０ａとしては、有機短繊維の交絡体で構成されていると好適である。有機短繊維は天然物由来のものが好ましい。有機短繊維としては、木材パルプ廃材を破砕したパルプ繊維の他、古紙や紙オムツなどの紙製品を破砕した紙繊維を用いることができる。
しかしながら、処理剤９０ａは、汚物の水分を吸収可能なものであれば、このようなものに限定されず、おが屑等であってもよい。
【００１８】
［吸引ノズル］
吸引ノズル３は、図５に示すように、汚物（汚物付き処理剤９０）のある床面等（対象面９１）に当接可能な当接面３４と、当接面３４に連続して形成され、当接面３４が対象面９１に当接したときに対象面９１から離間する方向であって、当接面３４の手前側エッジ３３ａ又は奥側エッジ３３ｂから吸引口３３の外方に傾斜して形成された傾斜部３５と、を備える。
当接面３４は、図４に示すように、手前側エッジ３３ａ及び奥側エッジ３３ｂを含んでいる。
吸引ノズル３における中空部３１を区画する内壁面３０には、当接面３４に交差する方向に延在して当接面３４に至る溝３０ａが形成されており、溝３０ａは、傾斜部３５の少なくとも一部に至る深さまで形成されている。
【００１９】
上記構成によれば、溝３０ａが傾斜部３５に至る深さまで形成されていることで、例えば、図５（ａ）に示す、吸引ノズル３の当接面３４を汚物（汚物付き処理剤９０）のある対象面９１に当接させて吸引している状態において、溝３０ａを露出させることができる。
このため、溝３０ａが形成されていないものと比較して、バキュームブロワ２によって吸引口３３から空気を吸引している状態において、真空破壊を起こすことができる。このため、溝３０ａを介して吸引口３３からの空気の吸い込みを可能とし、空気とともに汚物付き処理剤９０を吸引でき、吸引ノズル３を吸引状態で移動させることが容易となる。
【００２０】
また、例えば、汚物付き処理剤９０又は汚物が溝３０ａに入り込むことで、真空破壊状態ではない場合であっても、図５（ａ）に示す状態から図５（ｂ）に示すように吸引ノズル３を傾けて、傾斜部３５から溝３０ａ又は吸引口３３を露出させることができる。この状態から、作業者は、吸引ノズル３を手前に引くことで、汚物付き処理剤９０を好適に吸引することができる。
【００２１】
溝３０ａは、内壁面３０のうち、手前側エッジ３３ａ又は奥側エッジ３３ｂの少なくとも一方側に設けられており、突出部３６を挟んだ両側に設けられている。
上記構成によれば、中空部３１のうち突出部３６を挟んだ両側の空間の真空破壊を起こしやすくなり、吸引ノズル３のうち突出部３６を挟んだ両側を移動させやすくなり、突出部３６に当接した汚物（汚物付き処理剤９０）を両側の空間から吸い込みやすくなる。
【００２２】
傾斜部３５は、当接面３４における手前側エッジ３３ａ側から吸引口３３の手前側の外方に傾斜して形成されている。傾斜部３５は、当接面３４を基準とする吸引ノズル３の基端側において、吸引ノズル３側（側面視において、当接面３４から吸引ノズル３の外方に向かう角度が鈍角となる側）の角度が小さくなる向きに傾斜している。特に本実施形態に係る傾斜部３５は、当接面３４を基準とする吸引ノズル３の基端側において、手前側エッジ３３ａ側から吸引ノズル３側の角度が小さくなる向きに傾斜している。
なお、「傾斜」には、本実施形態に係る傾斜部３５の傾斜のように、平面的な傾きの他、曲面的に傾いているもの（吸引ノズル３側の角度が漸次小さくなるもの）をも含むものとする。
【００２３】
上記構成によれば、図５（ｂ）に示すように、汚物（汚物付き処理剤９０）のある対象面９１に対して、吸引ノズル３の手前側を奥側に持ち上げることで、傾斜部３５から溝３０ａを外部に露出させることができる。
このため、吸引ノズル３の傾きを微調整することで、吸引口３３のうち、溝３０ａのみを外部に露出させて、吸引ノズル３を手前側に移動させることと、中空部３１の外部への露出領域を広げて汚物を効果的に吸引することとを、連続的に行うことができる。
【００２４】
上記構成によれば、吸引ノズル３を手前側に引きながら汚物（汚物付き処理剤９０）を吸引するのに好適であるが、本考案はこのような構成に限定されるものではない。
例えば逆に、傾斜部が、当接面３４における奥側エッジ３３ｂ側から吸引口３３の奥側の外方に傾斜して形成されている構成であってもよい。
当該構成によれば、汚物（汚物付き処理剤９０）のある対象面９１に対して、吸引ノズル３の奥側を手前側に持ち上げることで、傾斜部から溝３０ａを露出させることができる。このため、吸引ノズル３の傾きを微調整することで、吸引口３３のうち、溝３０ａのみを外部に露出させて、吸引ノズル３を奥側に移動させることと、中空部３１の外部への露出領域を広げて汚物を効果的に吸引することとを、連続的に行うことができる。
【００２５】
また、本実施形態に係る手前側エッジ３３ａから中空部３１に突出する突出部３６は、図４に示すように、先細りとなるように形成されている。
このように、突出部３６が先細りとなるように（テーパ状に）形成されていることで、吸引ノズル３で対象面９１を掃く際に、先細りの突出部３６に当接した汚物（汚物付き処理剤９０）を、突出部３６の両側にある中空部３１にガイドしやすくなる。
【００２６】
［ダストボックス］
次に、回収容器（ダストボックス４）について、図６を主に参照して説明する。図６は、ダストボックス４周りの縦断面図であり、ダストボックス４の内部構造及び吸引した汚物付き処理剤９０と気体（空気）の流れを示す図である。図６の二点鎖線は、バキュームブロワ２を稼働させたときの気体の流れを模式的に示すものである。
【００２７】
ダストボックス４は、本体部４０と、本体部４０に着脱可能に取り付けられた袋体（回収袋４２）と、を含んで構成されており、本実施形態に係るダストボックス４の容量は、約４Ｌである。
上記構成によれば、汚物の廃棄の際に袋体（回収袋４２）と合わせて廃棄することができるため、汚物の廃棄が容易となり、本体部４０が汚れにくく、汚物回収機１の清掃が容易となる。
【００２８】
詳細には、ダストボックス４の本体部４０は、上部が開放された容器４０ａと、容器４０ａの上部を覆う蓋部４０ｂと、によって構成されている。
蓋部４０ｂは、汚物をダストボックス４内に導入するための挿通孔４０ｂｃが形成された蓋下部４０ｂａと、フィルタ４５が取り付けられて気体のみを通す蓋上部４０ｂｂと、から構成されている。
【００２９】
挿通孔４０ｂｃは、図１に示すホース１１に接続されるボス４０ｂｄの中空部分に連通する孔である。挿通孔４０ｂｃは、蓋下部４０ｂａの横断面において、接線方向に延在して、蓋下部４０ｂａの中空空間に接続されている。このような構成により、詳細については後述するが、バキュームブロワ２が稼働することにより、ダストボックス４内においてダストボックス４（蓋下部４０ｂａ）の接線方向（周方向）に汚物（汚物付き処理剤９０）を吸入することになる。
【００３０】
また、蓋下部４０ｂａの径方向中央部には、上端部から挿通孔４０ｂｃよりも下方に延在する筒状の障壁４０ｂｅが形成されている。
障壁４０ｂｅは、挿通孔４０ｂｃから導入される汚物付き処理剤９０等の固形物、粉状物及び粒状物が、ダストボックス４の上方に吸引されるのを抑制するものである。蓋上部４０ｂｂを蓋下部４０ｂａに取り付けたときに、障壁４０ｂｅの内側にフィルタ４５が配設される。
【００３１】
蓋下部４０ｂａの外縁の下端部は、断面逆Ｕ字状に形成されており、ガスケット４１が接着剤等により接合されている。ガスケット４１は、弾性を有し、容器４０ａの上端との間で、回収袋４２を保持するものである。
容器４０ａと蓋下部４０ｂａとは、スナップ錠４６によって着脱可能に接続されている。
作業者は、スナップ錠４６を解錠し、容器４０ａから蓋下部４０ｂａを取り外すことで、ガスケット４１と容器４０ａの上端との間で保持されていた汚物付き処理剤９０入りの回収袋４２を取り出して回収することができる。
【００３２】
同様に、蓋下部４０ｂａと蓋上部４０ｂｂとは、スナップ錠４７によって着脱可能に接続されている。
作業者は、スナップ錠４７を解錠し、蓋下部４０ｂａから蓋上部４０ｂｂを取り外すことで、蓋上部４０ｂｂに取り付けられたフィルタ４５の交換を行うことができる。
【００３３】
なお、回収袋４２の内部には、処理剤９０ａが予め所定量だけ収容されていてもよい。このような構成によれば、嘔吐物に含まれる液体や洗浄液１２等が、回収袋４２内に収容されたときに、これらを処理剤９０ａに接触させることができるため、その水分を回収袋４２内にある処理剤９０ａに保持することができる。
なお、図８に示して詳細について後述するように、容器４０ａの底には、ボルト４３（ロック部）が突出して設けられている。
【００３４】
［バキュームブロワ］
吸引器（バキュームブロワ２）は、後述する載置台５上に固定配置されたハウジング２ａ内に収容されており、回収容器（ダストボックス４）内において挿通孔４０ｂｃからダストボックス４の周方向に汚物（汚物付き処理剤９０）を吸入する。バキュームブロワ２は、汚物付き処理剤９０を含め、固体及び液体の双方とも吸引することが可能に構成されている。
また、バキュームブロワ２は、フィルタ４５を介して、ダストボックス４から上方に吸引した気体を（図１のフィルタ収容部１０内に収容された）ＨＥＰＡフィルタ２ｃ及び排気口２ｂを介して汚物回収機１の外部に排出する。
ここで、「周方向」とは、回収容器の長尺方向に平行に延在する中心軸に直交する径方向としたときに、この径方向に対して交差する方向をいう。換言すると、「周方向」とは、回収容器の上記の中心軸を通らずに、回収容器のいずれかの接線方向に平行な方向をいう。
【００３５】
上記構成によれば、回収容器（ダストボックス４）の周方向に汚物（汚物付き処理剤９０）を吸入することで、ダストボックス４内の気体と汚物（汚物付き処理剤９０）の密度差と、ダストボックス４内の気流からの圧力によって汚物付き処理剤９０を下方に押し込むことができる。このため、ダストボックス４から上部に気体を吸引して汚物付き処理剤９０と気体とを分離できる。そして、フィルタ４５及びＨＥＰＡフィルタ２ｃによって気体を清浄な空気にして排気口２ｂから汚物回収機１の外部に排出することができる。
【００３６】
本実施形態に係るＨＥＰＡフィルタ２ｃは、汚物回収機１を流れる気流の最下流部に当たる位置であり、ハウジング２ａの両側に設けられたフィルタ収容部１０にそれぞれ収容されている。
フィルタ収容部１０には、外部に繋がる排気口２ｂが形成されており、最下流部にあるＨＥＰＡフィルタ２ｃを通った気体は、排気口２ｂを介して汚物回収機１の外部に排出されることになる。
このように、排気口２ｂよりもフィルタ収容部１０の内側にＨＥＰＡフィルタ２ｃが設けられていることにより、汚物回収機１内に侵入したウィルスが、汚物回収機１の外部に拡散されることを防止できる。
【００３７】
［ホース］
ホース１１は、上記のように、吸引ノズル３とダストボックス４とに接続されて汚物付き処理剤９０及び気体を通すもの他、蓋上部４０ｂｂとバキュームブロワ２を収容するハウジング２ａとに接続されて気体を通すものがある。
上記において、ホース１１の外周面が蛇腹状に形成されている旨の説明をしたが、ホース１１の内周面は、蛇腹状の凹凸は形成されておらず断面円形状に形成されている。
【００３８】
このように構成されていることで、除菌剤を含む洗浄液１２を吸引ノズル３で吸い込むことにより、汚物を回収する際に汚物に接したホース１１の内部に除菌剤を含んだ洗浄液１２を通すことになり、ホース１１内を漏れなく除菌することができる。作業者は、手作業による除菌と比較して、除菌後の床面等の拭き取り作業が必要ではなくなり、清掃道具を容易に除菌できることになる。
【００３９】
＜洗浄に係る構成＞
汚物回収機１は、汚物そのものを洗浄（除菌）するものの他、汚物に接した床面等を洗浄（除菌）する洗浄液１２を散布する機能を有する。
洗浄液１２は、図１に示すように、ボトル７ａに貯留されており、ポンプ７ｂで吸い出されて散布ノズル６を介して汚物回収機１の外部に散布される。洗浄液１２は、例えば強アルカリイオン電解水で構成されている。例えば、洗浄液１２は、ノロウィルス等を不活性化できるように、ｐＨ１２．５の除菌水（次亜塩素酸ナトリウム水溶液等）で構成されている。
【００４０】
［散布ノズル］
散布ノズル６は、図３に示すように、洗浄液１２の噴射口である散布口６ａと、散布ノズル６の内部に設けられ、洗浄液１２の外部への噴射を調整可能な不図示の弁の開閉を操作するためのレバー６ｂと、を備える。
また、散布ノズル６は、図３及び図５に示すように、吸引ノズル３に併設されている。このように、吸引ノズル３と散布ノズル６とが併設されていることで、汚物（汚物付き処理剤９０）の吸引作業と洗浄液１２の散布作業を連続して行ないやすくなる。
【００４１】
特に、本実施形態に係る散布ノズル６は、吸引ノズル３よりも手前側において併設されている。このような構成によれば、洗浄液１２を散布した後に、吸引ノズル３を手前に移動させたときに、散布口６ａから噴射された洗浄液１２のエリアを、吸引ノズル３の吸引口３３が通る配置となる。したがって、床面等（対象面９１）をスムーズに洗浄しつつ、余剰な洗浄液１２が残ることを防止して、外観を美しくすることができる。
【００４２】
［洗浄液供給部］
散布ノズル６に洗浄液１２を供給する洗浄液供給部７は、上記のように洗浄液１２を貯留するボトル７ａと、ボトル７ａに貯留された洗浄液１２を散布ノズル６に向けて加圧するポンプ７ｂと、ボトル７ａ、ポンプ７ｂ及び散布ノズル６を接続するチューブ８と、により主に構成されている。
【００４３】
本実施形態に係るボトル７ａは、容量が約１Ｌであり、ハウジング２ａの背面に着脱可能に取り付けられている。本実施形態に係るポンプ７ｂは、ハウジング２ａの背面に固定されており、ハウジング２ａ内に搭載された不図示の回路基板に接続され、バッテリー１３から供給される電力により動作可能に構成されている。
【００４４】
特に、本実施形態に係るポンプ７ｂは、バキュームブロワ２と同時に稼働及び稼働停止するように、図２に示すスイッチ２ｄに接続されており、バキュームブロワ２の稼働とは別の操作を要しないように構成されている。洗浄液１２は、ポンプ７ｂにより加圧状態で維持され、上記のように、レバー６ｂが操作されることによって散布ノズル６の散布口６ａから外部に噴出することになる。なお、洗浄液１２を散布する際にポンプ７ｂを稼働するように、バキュームブロワ２を稼働させるスイッチとは別のスイッチが設けられていてもよい。
【００４５】
［チューブ］
チューブ８は、上記のように、ボトル７ａ、ポンプ７ｂ及び散布ノズル６を接続して、洗浄液１２を散布ノズル６に供給するためのものである。
チューブ８は、ポンプ７ｂからホース１１内に通されて、散布ノズル６に接続されるように配設されている。
上記構成によれば、チューブ８とホース１１それぞれの可撓性により、各種方向に別々に変形することを抑制して、これらが絡み合うことがなく、チューブ８とホース１１の取り扱いが容易となる。
具体的には、本実施形態に係るチューブ８は、ダストボックス４のボス４０ｂｄとホース１１との継手部分からホース１１内に通されて、吸引ノズル３とホース１１との継手部分からホース１１を出て散布ノズル６に接続されている。
【００４６】
［収容容器］
本実施形態に係る収容容器９は、吸引ノズル３を収容しつつ洗浄液１２を貯留することが可能なものであり、ハウジング２ａの上面に取り付けられた把手部５ｂの側面に取り付けられている。収容容器９の容積は、吸引ノズル３及び吸引ノズル３に取り付けられた散布ノズル６を収容可能な大きさで形成されている。
【００４７】
上記構成によれば、収容容器９内に洗浄液１２を入れて、吸引ノズル３を洗浄液１２に浸け置くことで清潔にする（除菌する）ことができる。さらに、吸引器（バキュームブロワ２）を動作させて吸引ノズル３で洗浄液１２を吸引することで、汚物回収機１（具体的には、ホース１１及びダストボックス４）の内部を清潔にする（除菌する）ことができる。
特に、収容容器９内に散布ノズル６を収容可能とすることで、ポンプ７ｂを稼働することで、散布ノズル６から収容容器９内に洗浄液１２を供給することも可能となる。
【００４８】
＜その他の構成＞
［キャスター及びバッテリー］
本実施形態に係る汚物回収機１は、バッテリー１３として、リチウムイオンバッテリー等の蓄電池を備え、バッテリー１３がバキュームブロワ２及びポンプ７ｂに電力を供給できることで、電源の無い場所でも稼働可能である。
特に、汚物回収機１は、後述の載置台５の下面にキャスター５ａが取り付けられていることで高い可搬性を有し、駅、空港、公園や飲食店等を含む商業施設の他、自動車、バスや電車のシートや床面等にも使用することができる。
【００４９】
［載置台］
次に、載置台５について、図７及び図８を主に参照して説明する。図７は、嵌合孔５０が形成された載置台５を示す平面図、図８は、ボルト４３付きのダストボックス４の一部を示す（ａ）は模式的な側面図、（ｂ）は模式的な底面図である。
【００５０】
回収容器（ダストボックス４）は、載置台５に対して着脱可能に取り付けられている。
なお、「載置」には、直上に配設されているものに限定されず、他の物を間に配置してその上に配設されているもの含まれるものとする。例えば、バキュームブロワ２がハウジング２ａを介して載置台５の上に配設されているものについても、バキュームブロワ２が載置台５上に載置されているという。
【００５１】
上記構成によれば、回収容器（ダストボックス４）が載置台５に対し着脱可能に取り付けられていることで、回収容器と載置台５とを分解して搬送することも可能となり、汚物回収機１の搬送性を高めることができる。
また、例えば、回収袋４２を用いずにダストボックス４に汚物を直接回収した場合でも、ダストボックス４を載置台５から取り外すことができることで、ダストボックス４内の汚物を廃棄場所に廃棄し、ダストボックス４内を洗浄することが容易となる。
【００５２】
具体的には、図７に示すように、載置台５には、嵌合孔５０が同一円周上に４つ形成されており、上下に貫通して形成されている。嵌合孔５０（ロック部）は、ボルト４３の頭部４３ａが通される円孔部５０ａと、ボルト４３の胴部４３ｂが通され、円孔部５０ａに連続して形成された長孔部５０ｂと、により形成されている。
円孔部５０ａは、後述するボルト４３の頭部４３ａよりも径方向に大きく形成されている。
長孔部５０ｂは、円孔部５０ａから円周方向の一方側（本実施形態においては、平面視において反時計回り側）に延在しており、後述するボルト４３の頭部４３ａよりも小さな幅で形成され、ボルト４３の胴部４３ｂよりも大きな幅で形成されている。
【００５３】
容器４０ａの底部には、４本のボルト４３が頭部４３ａ側を下方に向けた状態で取り付けられている。本実施形態においては、容器４０ａに不図示のナットが埋設されており、ボルト４３のねじ込み量を調節して、ボルト４３の頭部４３ａの位置を調節可能に構成されている。なお、ボルト４３（ねじ）の締結対象としては、容器４０ａに埋設されたナットに限定されず、容器４０ａに形成された雌ねじ穴であってもよい、
【００５４】
作業者は、ダストボックス４（容器４０ａ）の載置台５への固定する際には、４本のボルト４３の頭部４３ａを、４つの嵌合孔５０の円孔部５０ａに通し、ボルト４３の頭部４３ａが載置台５よりも下方に突出するように、ダストボックス４を載置台５に置く。
さらに、作業者は、ボルト４３の頭部４３ａが長孔部５０ｂに対向する位置まで、平面視において反時計回りにダストボックス４を回転させる。
そして、作業者は、ボルト４３を容器４０ａの不図示のナットに締め込んで、ボルト４３の頭部４３ａの上面を長孔部５０ｂの下側の周縁に押圧させて、ダストボックス４を載置台５に固定する。
【００５５】
なお、本実施形態においては、ダストボックス４と載置台５との「ロック部」に係る構成として、ボルト４３と嵌合孔５０との嵌合によるものを説明したが、本考案は着脱可能であればこのような構成に限定されない。例えば、ボルト４３を用いずに、クリップ等の弾性部材の弾性変形を利用して、「ロック部」として機能させるようにしてもよい。
【００５６】
［清掃方法］
最後に、汚物回収機１を用いた清掃方法について説明する。
作業者は、汚物の水分を吸収するように、汚物に対して処理剤９０ａを撒く。その後、作業者は、スイッチ２ｄを押して、吸引器（バキュームブロワ２）及びポンプ７ｂを稼働して、吸引ノズル３により汚物（汚物付き処理剤９０）を回収容器（ダストボックス４）内に吸引する（吸引工程）。なお、ポンプ７ｂについては、洗浄液１２を散布する際に、バキュームブロワ２とは異なるタイミングで、別のスイッチにより稼働するようにしてもよい。
【００５７】
続けて、散布ノズル６のレバー６ｂを操作して、汚物が付着していた対象面９１に散布ノズル６から洗浄液１２を散布する（対象面洗浄工程）。１回処理に要する洗浄液１２の使用量は１５０〜２００ｍＬ程度である。特に、洗浄液１２の散布と、吸引ノズル３による吸引を同時に行いながら、吸引ノズル３を手前に引くことで、対象面９１上にある余分な洗浄液１２を吸い込むことができ、対象面９１上を綺麗に仕上げることができる。
【００５８】
作業者は、収容容器９内に吸引ノズル３を収容して、散布ノズル６から洗浄液１２を散布するか、ハウジング２ａからボトル７ａを取り外して洗浄液１２を直接注ぎこむようにして、洗浄液１２を収容容器９内に供給する。このようにして、吸引ノズル３を洗浄液１２に浸け込んで洗浄（消毒）することができる（汚損部洗浄工程）。
また、例えば吸引ノズル３の消毒が終わった後に、吸引ノズル３により洗浄液１２を吸い込むことで、吸引ノズル３及びホース１１の内部（汚物が通る部位）を洗浄（消毒）することができる。この場合でも、ダストボックス４に吸引された洗浄液１２は処理剤９０ａにより吸水されるため、汚物とともに固形物として簡単に廃棄することができる。
【００５９】
作業者は、容器４０ａから蓋部４０ｂを取り外して、汚物付き処理剤９０を収容した回収袋４２を廃棄する。このため、ダストボックス４が汚れることを抑制でき、箒や塵取りを用いる場合と比較して、道具の消毒に係る手間を低減することができる。
【００６０】
上記実施形態においては、汚物回収機１を用いずに処理剤９０ａを撒くものとして説明したが、汚物回収機１が、処理剤９０ａを噴出可能な構成（ピストン・シリンダ、ホース及び噴出部等）を備えるようにしてもよい。
なお、本考案の汚物回収機における各種の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること等を許容する。
【００６１】
本実施形態は以下の技術思想を包含する。
（１）汚物を回収するための回収容器と、
前記汚物が通る流路の一部を構成する中空部を有し、前記汚物を吸引するための吸引口を有する吸引ノズルと、
該吸引ノズルの前記吸引口から前記回収容器に前記汚物を吸引する吸引器と、を備え、
前記吸引ノズルは、前記吸引口の少なくとも一部を区画する手前側エッジ及び奥側エッジを有し、
前記手前側エッジ又は前記奥側エッジの少なくとも一方には、他方に近接するように前記中空部に突出する突出部が形成されていることを特徴とする汚物回収機。
（２）前記吸引ノズルは、前記手前側エッジ及び前記奥側エッジを含んで前記汚物のある対象面に当接可能な当接面と、
該当接面に連続して形成され、前記当接面が前記対象面に当接したときに前記対象面から離間する方向であって、前記当接面の前記手前側エッジ又は前記奥側エッジから前記吸引口の外方に傾斜して形成された傾斜部と、を備え、
前記吸引ノズルにおける前記中空部を区画する内壁面には、前記当接面に交差する方向に延在して前記当接面に至る溝が形成されており、
該溝は、前記傾斜部の少なくとも一部に至る深さまで形成されている（１）に記載の汚物回収機。
（３）前記溝は、前記内壁面のうち、前記手前側エッジ又は前記奥側エッジの少なくとも一方側に設けられており、前記突出部を挟んだ両側に設けられている（２）に記載の汚物回収機。
（４）前記傾斜部は、前記当接面における前記手前側エッジ側から前記吸引口の手前側の外方に傾斜して形成されている（２）又は（３）に記載の汚物回収機。
（５）前記突出部は、先細りとなるように形成されている（１）から（４）のいずれか一項に記載の汚物回収機。
（６）洗浄液の散布口を有する散布ノズルと、
前記散布ノズルに前記洗浄液を供給する洗浄液供給部と、
前記散布ノズルと前記洗浄液供給部とに接続された可撓性を有するチューブと、
前記吸引ノズルと前記回収容器とに接続された可撓性を有するホースと、を更に備え、
前記チューブは、前記ホース内に通されて配設されており、
前記散布ノズルは、前記吸引ノズルに併設されている（１）から（５）のいずれか一項に記載の汚物回収機。
（７）前記吸引ノズルを収容しつつ洗浄液を貯留することが可能な収容容器を更に備える（１）から（６）のいずれか一項に記載の汚物回収機。
（８）前記回収容器と前記吸引器とを少なくとも載置可能な載置台と、
該載置台に取り付けられた車輪と、を更に備え、
前記回収容器は、前記載置台に対して着脱可能に取り付けられている（１）から（７）のいずれか一項に記載の汚物回収機。
（９）前記回収容器は、本体部と、該本体部に着脱可能に取り付けられた袋体と、を含んで構成されている（１）から（８）のいずれか一項に記載の汚物回収機。
（１０）前記吸引器は、前記回収容器内において前記回収容器の周方向に前記汚物を吸入し、前記回収容器から上方に吸引した気体をＨＥＰＡフィルタを介して前記汚物回収機の外部に排出する（１）から（９）のいずれか一項に記載の汚物回収機。
（１１）（１）から（１０）のいずれか一項に記載の汚物回収機を用いた汚物回収方法であって、
前記吸引ノズルにより前記汚物を前記回収容器に吸引する吸引工程と、
前記汚物が付着していた対象面に散布ノズルから洗浄液を散布する対象面洗浄工程と、
収容容器内に前記吸引ノズルを収容し、前記洗浄液を前記収容容器内に供給して、前記吸引ノズルを洗浄する汚損部洗浄工程と、を備えることを特徴とする汚物回収方法。
（１２）前記汚損部洗浄工程において、前記吸引ノズルにより前記洗浄液を前記回収容器に吸収することで、前記吸引ノズルから前記汚物が通る部位を洗浄する（１１）に記載の汚物回収方法。
【符号の説明】
【００６２】
１  汚物回収機
２  バキュームブロワ（吸引器）
２ａ  ハウジング
２ｂ  排気口
２ｃ  ＨＥＰＡフィルタ
２ｄ  スイッチ
３  吸引ノズル
４  ダストボックス（回収容器）
５  載置台
５ａ  キャスター（車輪）
５ｂ  把手部
６  散布ノズル
６ａ  散布口
６ｂ  レバー
７  洗浄液供給部
７ａ  ボトル
７ｂ  ポンプ
８  チューブ
９  収容容器
１０  フィルタ収容部
１１  ホース
１２  洗浄液
１３  バッテリー
３０  内壁面
３０ａ  溝
３１  中空部
３２  流路
３３  吸引口
３３ａ  手前側エッジ
３３ｂ  奥側エッジ
３４  当接面
３５  傾斜部
３６  突出部
４０  本体部
４０ａ  容器
４０ｂ  蓋部
４０ｂａ  蓋下部
４０ｂｂ  蓋上部
４０ｂｃ  挿通孔
４０ｂｄ  ボス
４０ｂｅ  障壁
４１  ガスケット
４２  回収袋（袋体）
４３  ボルト（ロック部）
４３ａ  頭部
４３ｂ  胴部
４５  フィルタ
４６、４７  スナップ錠
５０  嵌合孔（ロック部）
５０ａ  円孔部
５０ｂ  長孔部
９０  汚物付き処理剤（汚物）
９０ａ  処理剤
９１  対象面
【図１】
0003221577.tif 000003
【図２】
0003221577.tif 000004
【図３】
0003221577.tif 000005
【図４】
0003221577.tif 000006
【図５】
0003221577.tif 000007
【図６】
0003221577.tif 000008
【図７】
0003221577.tif 000009
【図８】
0003221577.tif 000010